(57)【要約】【課題】  積載板を用いて紙幣を収納する従来の紙幣収納装置は、積載板を退避するスペースが必要であるため、装置の複雑化や大型化につながる。また、紙幣収納袋に収納している紙幣に容易にアクセス可能であるため、セキュリティを確保することができない。【解決手段】  紙幣収納装置であって、紙幣を収納する紙幣カセットと、紙幣カセットを脱着可能に保管する保管部とを有し、紙幣カセットは、内部に紙幣を集積して収納する伸縮可能な紙幣収納体と、紙幣収納体の内部に構成され、紙幣収納体と同期して伸縮可能な複数の集積案内部と、紙幣収納体の伸縮方向に沿った上端に装着されて、紙幣収納体へ紙幣の取込を行う上端装着体と、紙幣収納体の伸縮方向に沿った下端に装着される下端装着体と、を有する。【選択図】  図２
2016018296.tif 000002
【特許請求の範囲】
【請求項１】
紙幣収納装置であって、
紙幣を収納する紙幣カセットと、
前記紙幣カセットを脱着可能に保管する保管部とを有し、
前記紙幣カセットは、
内部に紙幣を集積して収納する伸縮可能な紙幣収納体と、
前記紙幣収納体の内部に構成され、前記紙幣収納体と同期して伸縮可能な複数の集積案内部と、
前記紙幣収納体の伸縮方向に沿った上端に装着されて、前記紙幣収納体へ紙幣の取込を行う上端装着体と、
前記紙幣収納体の伸縮方向に沿った下端に装着される下端装着体と、
を有することを特徴とする紙幣収納装置。
【請求項２】
前記紙幣収納装置は、さらに、制御部と、前記制御部の指示により昇降台を昇降させて前記紙幣収納体を昇降させる昇降駆動機構を有し、
前記下端装着体は、前記昇降台に固定され、
前記制御部が、前記昇降台を昇降し、
前記昇降台の昇降に従って、前記紙幣収納体は伸縮すること
を特徴とする請求項１に記載の紙幣収納装置。
【請求項３】
前記紙幣収納装置は、
前記紙幣カセットに紙幣を取り込み、前記紙幣カセットの押圧によって可動する紙幣取込部と、
前記保管部における前記紙幣取込部の高さを検知する高さ検知センサと、
をさらに有し、
前記高さ検知センサは、前記紙幣取込部の高さが、所定の高さよりも高いことを検知すると、
前記制御部は、前記昇降台を降下する
ことを特徴とする請求項２に記載の紙幣収納装置。
【請求項４】
前記保管部には、前記紙幣収納体を検知する容量検知センサが構成され、
前記容量検知センサが、前記紙幣収納体を検知すると、
前記制御部は、前記紙幣カセットへの紙幣の収納を停止する
ことを特徴とする請求項３に記載の紙幣収納装置。
【請求項５】
前記複数の集積案内部は、前記紙幣取込部から前記紙幣収納体に収納された紙幣を取り囲むように配置される
ことを特徴とする紙幣収納装置。
【請求項６】
紙幣を収納する紙幣カセットであって、
内部に紙幣を集積して収納する伸縮可能な紙幣収納体と、
前記紙幣収納体の内部に構成され、前記紙幣収納体と同期して伸縮可能な複数の集積案内部と、
前記紙幣収納体の伸縮方向に沿った上端に装着されて前記紙幣収納体への紙幣の取込を行う上端装着体と、
前記紙幣収納体の伸縮方向に沿った下端に装着される下端装着体と、
を有することを特徴とする紙幣カセット。
【発明の詳細な説明】
【技術分野】
【０００１】
本発明は、紙幣収納装置に関する。
【背景技術】
【０００２】
紙幣収納装置は、小売店等の店舗に設置され店舗の売上げとして入金された紙幣を搬送して収納する。
紙幣収納装置には、紙幣を回収するための着脱可能な紙幣カセットが装填されている。そして、係員等が、紙幣を収納した紙幣カセットと空の紙幣カセットとを交換して運用を継続している。
紙幣カセットの内部には、直方体の体積空間が確保され、その形状は、金属または樹脂成型品で構成された箱型の形状となっており、紙幣カセットには、紙幣の取込口と紙幣を回収するための扉を有しているものが主流である。
しかし、紙幣カセットの運搬時における労力軽減を図って運搬効率を高めるため、柔軟で強靱性をも備えた伸縮自在の袋状の紙幣カセットを用いることが提案されている（特許文献１）。
特許文献１には、上部が開放された袋状の収納袋を紙幣収納装置にセットし、紙幣を堆積するための積載板が紙幣収納装置の上部側から下部側へ下降し、紙幣を充填する方式が開示されている。
【先行技術文献】
【特許文献】
【０００３】
【特許文献１】特開平１０−２０８１０８号公報
【発明の概要】
【発明が解決しようとする課題】
【０００４】
特許文献１に開示された紙幣収納装置は、積載板を退避するスペースを設けることや紙幣の積載のために帯体を構成することが必要であり、装置の複雑化や大型化につながる。また、紙幣は、収納袋の上部が開放されている状態で積載されるため、収納されている紙幣に容易にアクセスすることが可能であるためセキュリティを確保できない。
【課題を解決するための手段】
【０００５】
本願発明の一実施の形態によれば、紙幣を収納する紙幣カセットと、紙幣カセットを脱着可能に保管する保管部とを有し、紙幣カセットは、内部に紙幣を集積して収納する伸縮可能な紙幣収納体と、紙幣収納体の内部に構成され、紙幣収納体と同期して伸縮可能な複数の集積案内部と、紙幣収納体の伸縮方向に沿った上端に装着されて、紙幣収納体へ紙幣の取込を行う上端装着体と、紙幣収納体の伸縮方向に沿った下端に装着される下端装着体と、を有する紙幣収納装置である。
【発明の効果】
【０００６】
本願発明の一実施の形態によれば、簡易な構造により袋収納庫に紙幣を安定して集積することができる紙幣収納装置を提供することができる。また、袋収納庫を密閉した状態で紙幣を集積するため、セキュリティを確保することができる。
【図面の簡単な説明】
【０００７】
【図１】紙幣収納装置１の概略構成を例示した図
【図２】保管部４に紙幣カセット６をセットする前後の様子を示す図
【図３】紙幣カセット６の構成図
【図４】紙幣収納装置１の紙幣収納動作を説明する図
【図５Ａ】紙幣カセット６に紙幣が収納される様子を示す図
【図５Ｂ】紙幣取込部８の上昇を示す図
【図５Ｃ】昇降台１７を下降させて紙幣カセット６を伸長させている様子を示す図
【発明を実施するための形態】
【０００８】
以下、本発明の一実施の形態について図面に基づき説明する。
本実施形態の紙幣収納装置１は、小売店等の店舗内に設置され、その店舗の売上げで入金した紙幣や硬貨等の現金を収納する装置である。なお、銀行、大規模店舗あるいは駅構内に設置された自動取引装置（ＡＴＭ：Automated Teller Machine）等における紙幣の収納にも適用できる。
【０００９】
図１は、紙幣収納装置１を模式的に示す説明図である。
紙幣収納装置１は、売上金等の紙幣や硬貨を入金又は保管することを目的とする装置である。
【００１０】
紙幣収納装置１は、紙幣計数部２、硬貨計数部３、保管部４及び各ユニットを制御する制御部５から構成される。
紙幣計数部２は、紙幣の計数処理を行う。
硬貨計数部３は、硬貨の計数処理を行う。
【００１１】
保管部４は、計数した紙幣や硬貨を収納する。保管部４には、紙幣を収納するための紙幣カセット６と、硬貨を収納するための硬貨カセット７が収容される。また、保管部４は、通常は施錠されているが、カセットを回収する係員により施錠が解除され、紙幣収納装置１の手前に引き出すことが可能で、各カセットを交換することができるように構成される。
【００１２】
図２は、保管部４に紙幣カセット６をセットする前後の様子を示す図である。
保管部４は、紙幣取込部８、昇降駆動機構１８及びガイドフレーム２１から構成される。また、その一部に回収扉１４を備え、回収扉１４を介して、紙幣カセット６の挿入あるいは引き出しを行う。
【００１３】
紙幣取込部８は、利用者から投入された紙幣を、紙幣カセット６内に取り込むための機構である。利用者から投入された紙幣は、保管部４の上部に構成される機能部を介して紙幣取込部８に搬送される。紙幣の搬送の方法については、図４を用いて後述する。
【００１４】
紙幣取込部８には、紙幣を紙幣カセット６に一枚ずつ搬送するための紙幣ガイド部８Ａが構成される。また、紙幣取込部８は、紙幣カセット６の上部に配置するように構成されており、紙幣カセット６の押圧により上下に可動するようになっている。
【００１５】
さらに、紙幣取込部８の付近には、紙幣ガイド部８Ａの高さを検知する高さ検知センサ９が構成される。
【００１６】
昇降駆動機構１８は、シャッタ開閉レバー１６、紙幣カセット６の底面を保持する昇降台１７及び昇降台１７を昇降させる昇降駆動モータ２０からなる。制御部５は、昇降駆動モータ２０を駆動させることにより昇降台１７を昇降移動させる。
【００１７】
ガイドフレーム２１は、紙幣カセット６を取り囲む側壁を形成し、上端を開口状としている。また、ガイドフレーム２１の一部には、シャッタ開閉レバー１６が構成される。シャッタ開閉レバー１６は、紙幣カセット６の一部に挿入されて、紙幣カセット６の上端を固定する。
さらに、ガイドフレーム２１の下部には、容量検知センサ２３が構成される。
【００１８】
容量検知センサ２３は、紙幣カセット６の有無を検知するセンサである。容量検知センサ２３は、紙幣カセット６が、容量検知センサ２３の位置まで下降してきたことを検知すると、紙幣カセット６が満杯に近い状態であると判断する。本実施形態では、容量検知センサ２３を有することにより、紙幣の収納容量が所定の収納量を超える前に紙幣の収納動作を停止することを制御部５に通知することもできる。
【００１９】
回収扉１４は、係員が紙幣カセット６を回収する際等に開閉するために設けられた扉である。回収扉１４には、回収扉シリンダ１５が設けられ、回収扉１４を施錠する。
【００２０】
紙幣カセット６を保管部４にセットするには、まず回収扉シリンダ１５を解錠して回収扉１４を開ける。次いで、紙幣カセット６を保管部４に水平に挿入することでセットできる。そして、回収扉１４を閉めると紙幣カセット６のセット完了となる。
【００２１】
以上のように、本実施形態の紙幣収納装置１は、紙幣カセット６を保管部４に容易にセットすることや、昇降台１７の動作に連動させて紙幣カセット６を容易に収縮動作させることができる。
【００２２】
図３は、紙幣カセット６の構成を示す斜視図である。
紙幣カセット６は、紙幣シャッタ機構１１、紙幣収納袋１０及び紙幣収納袋底面部１２から構成される。
【００２３】
紙幣シャッタ機構１１には、シャッタ開閉レバー挿入口１１Ａと紙幣取込口１１Ｂとが構成される。
紙幣カセット６が、保管部４にセットされると、紙幣シャッタ機構１１のシャッタ開閉レバー挿入口１１Ａにシャッタ開閉レバー１６が挿入される。これにより、保管部４に紙幣カセット６の上部が固定されてロック状態となる。
【００２４】
ロック状態になると、紙幣カセット６の紙幣取込口１１Ｂが開き、紙幣を取り込むことが可能になる。
また、紙幣カセット６は、単体時には、紙幣シャッタ機構１１が紙幣収納袋１０の開口部を密閉しているため、紙幣に触手することはできないようになっている。
【００２５】
また、紙幣カセット６からの紙幣の取出しは、シャッタ開閉レバー挿入口１１Ａに専用工具を差し込んで紙幣シャッタ機構１１を開くことにより紙幣取込口１１Ｂからの取り出しが可能になる。
【００２６】
本実施形態の紙幣カセット６は、紙幣シャッタ機構１１を構成することにより、収納されている紙幣に容易にアクセスすることができないためセキュリティを確保することができる。
【００２７】
紙幣収納袋１０は、紙幣を収納した際の重量に耐えうる強さを有する素材かつ柔軟性があり伸縮可能な素材で形成され、蛇腹状で構成される。紙幣収納袋１０の素材は、例えば、ナイロン製の縫製布である。また、紙幣収納袋１０の内部には、紙幣収納時に紙幣の整列性を安定化させるために収縮自在な集積案内部２８が複数構成される。集積案内部２８は、紙幣収納袋１０の収縮と同期して収縮動作する。本実施形態では、集積案内部２８を、直方体形状の紙幣カセット６の四つ角に構成し、収納した紙幣を取り囲むように配置するものとする。なお、他の位置に配置して構成するとしてもよい。
【００２８】
紙幣収納袋底面部１２は、紙幣収納袋１０に接続される紙幣カセット６の底面部である。紙幣収納袋底面部１２には、昇降台挿入口１２Ａが構成される。
昇降台挿入口１２Ａに、昇降台１７が挿入されることにより、紙幣収納袋１０が保管部４にセットされる。紙幣収納袋底面部１２は、紙幣収納袋１０と接着され容易に取り外しできない構成となっている。
【００２９】
次に、図４及び図５を用いて紙幣収納装置１の紙幣収納動作について説明する。
図４は、紙幣収納装置１の入金口３０に投入された紙幣が紙幣カセット６に収納される動作を示す。
まず、入金口３０に投入された紙幣は、１枚ずつ分離され、搬送路３１を通って紙幣識別部３２に運ばれる。次いで、紙幣識別部３２では、金種及び枚数が確定され、識別された紙幣は、一時保留部３３に集積される。そして、一時保留部３３に集積された紙幣は、１枚ずつ分離され、紙幣カセット６に収納される。
【００３０】
図５Ａ、図５Ｂ及び図５Ｃは、紙幣カセット６に紙幣が収納されて昇降駆動機構１８が動作する様子を示す図である。
図５Ａは、一時保留部３３から搬送された紙幣が、紙幣取込部８を介して紙幣カセット６に収納されている様子を示す図である。紙幣は、紙幣カセット６の内部に１枚ずつ集積される。
図５Ｂは、紙幣カセット６内に収納する紙幣の収納枚数が増加し、紙幣カセット６内の集積高さが上昇して紙幣取込部８が紙幣カセット６の押圧によって
上昇している様子を示す。
【００３１】
図５Ｃは、高さ検知センサ９が、紙幣取込部８の上昇を検知し、制御部５が、昇降駆動モータ２０を駆動させて、昇降台１７を紙幣集積検知センサ８Ｂが検知しない位置まで下降させている様子を示す。
昇降台１７を下降させることにより、紙幣収納袋１０が伸長される。また、紙幣収納袋１０の伸長に従って、紙幣収納袋１０内の集積案内部２８も伸長する。
【００３２】
本実施形態では、上述の紙幣収納動作が繰り返し実行され、昇降台１７を下降させることにより紙幣の収納量に応じて紙幣カセット６の容量を確保することができる。
【００３３】
また、制御部５は、紙幣の収納が完了した旨を紙幣収納装置１の図示しない報知ランプにて報知したり、図示しないインターネット回線を経て保守管理部に報知したりすることができる。そのため、係員は、即時に保管部４を解錠して紙幣カセット６を紙幣収納装置１から引き出し、紙幣収容済みの紙幣カセット６を空の紙幣カセット６と交換することが可能になる。
【００３４】
また、紙幣収納装置１への設置前は、紙幣カセット６を折りたたんだ状態で運搬することができるため、取扱が容易になり運搬効率の向上を図ることができる。そして、紙幣の集積時には、その収納状況に応じて、紙幣カセット６の大きさを拡張変更することができ、操作性の高い紙幣収納装置１を提供することができる。また、紙幣カセット６内に集積される紙幣は、集積案内部２８により、蛇腹部に接触することがなく紙幣を整然と集積することができる。
【００３５】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。そして、上述の実施形態において、紙幣カセット６について説明しているが、本発明はこれに限られず、硬貨カセットに適用してもよい。
【符号の説明】
【００３６】
１  …  紙幣収納装置
２  …  紙幣計数部
３  …  硬貨計数部
４  …  保管部
５  …  制御部
６  …  紙幣カセット
７  …  硬貨カセット
８  …  紙幣取込部
８Ａ…  紙幣ガイド
９  …  高さ検知センサ
１０  …  紙幣収納袋
１１  …  紙幣シャッタ機構
１１Ａ…  シャッタ開閉レバー挿入口
１１Ｂ…  紙幣取込口
１２  …  紙幣収納袋底面
１２Ａ…  昇降台挿入口
１４  …  回収扉
１５  …  回収扉シリンダ
１６  …  シャッタ開閉レバー
１７  …  昇降台
１８  …  昇降駆動機構
２０  …  昇降駆動モータ
２１  …  ガイドフレーム
２３  …  容量検知センサ
２８  …  集積案内部
３０  …  入金口
３１  …  搬送路
３２  …  紙幣判別部
３３  …  一時保留部
【図１】
2016018296.tif 000003
【図２】
2016018296.tif 000004
【図３】
2016018296.tif 000005
【図４】
2016018296.tif 000006
【図５Ａ】
2016018296.tif 000007
【図５Ｂ】
2016018296.tif 000008
【図５Ｃ】
2016018296.tif 000009